(57)【特許請求の範囲】
【請求項１】
第１のカード及び、この第１のカードより長さが長く幅狭な第２のカードの何れか一方が選択的に挿着可能な収納部を有するハウジングと、前記収納部のカード挿入方向に沿って手前側と奥側にそれぞれ並設され、前記第１のカードの接触端子部と接続される複数の第１のコネクタ端子と、前記第２のカードの接触端子部と接続される複数の第２のコネクタ端子とを備え、前記ハウジングは、前記ハウジングの前面に設けられたカード挿入部と、このカード挿入部に設けられ前記第１及び第２のカードを前記収納部内へ案内するガイド部とを備え、前記ガイド部に、前記第１のカードの側面部と当接して前記第１のカードを挿着位置へ案内する第１の案内面と、該第１の案内面よりも前記収納部内の内側に位置し、前記第２のカードの側面部と当接して前記第２のカードを挿着位置へ案内する第２の案内面と、前記第１のカードの前記第１のコネクタ端子と対向する面と当接して前記第１のカードの挿入を案内する第３の案内面を形成し、前記ガイド部は、前記第１の案内面と前記第２の案内面との間に前記第３の案内面が配置されて段差状に形成されており、前記ガイド部により前記収納部に挿入される前記第２のカードの前記第１のコネクタ端子と対向する面が前記収納部に挿入される前記第１のカードの前記第１のコネクタ端子と対向する面よりも前記収納部の底部側に位置するように案内され、前記第１のコネクタ端子は、一端側が前記収納部の底部に片持ち支持され、その他端側に前記収納部内に突出された接点部を有する弾性片からなり、前記収納部の底部側には、前記第１のコネクタ端子を押圧して前記接点部を前記収納部の底部側に押し下げ可能な押圧部材を設け、前記押圧部材は、上下方向に変位可能で、前記第１のコンタクト端子を押圧する押圧部と、前記第２のカードの前記第１のコネクタ端子と対向する面と接触することにより前記押圧部を下方に変位させる駆動部とを有し、前記駆動部は、変位しない状態において前記収納部に挿入される前記第２のカードの前記第１のコネクタ端子と対向する面よりも上方で、かつ、前記収納部に挿入される前記第１のカードの前記第１のコネクタ端子と対向する面よりも下方となる位置に配設されており、前記第１のカードの挿入時には、前記第１のカードの前記第１のコネクタ端子と対向する面と前記押圧部材が当接することなく、前記押圧部材は変位されずに前記第１のコネクタ端子の前記接点部と前記第１のカードの前記接触端子部が接触すると共に、前記第２のカードの挿入時には、前記第２のカードの前記第１のコネクタ端子と対向する面と前記押圧部材が当接して前記押圧部材が変位することにより、前記第１のコネクタ端子の前記接点部を前記第２のカードの前記第１のコネクタ端子と対向する面と接触しない位置まで押し下げるようにしたことを特徴とするカード用コネクタ装置。
【請求項２】
前記第２の案内面を前記第１の案内面より下方位置に形成したことを特徴とする請求項１記載のカード用コネクタ装置。
【請求項３】
前記押圧部材は、前記収納部のカード挿入方向に沿って手前側の一端部が前記収納部に回動可能に軸支され、カード挿入方向に沿って奥側の他端部に前記押圧部が形成されており、前記押圧部は、前記第１のコネクタ端子の有する弾性力により上方に付勢された状態で保持されていることを特徴とする請求項１又は請求項２記載のカード用コネクタ装置。
【請求項４】
第１のカード及び、この第１のカードより長さが長く幅狭な第２のカードの何れか一方が選択的に挿着可能な収納部を有するハウジングと、前記収納部のカード挿入方向に沿って手前側と奥側にそれぞれ並設され、前記第１のカードの接触端子部と接続される複数の第１のコネクタ端子と、前記第２のカードの接触端子部と接続される複数の第２のコネクタ端子とを備え、前記ハウジングは、前記ハウジングの前面に設けられたカード挿入部と、このカード挿入部に設けられ前記第１及び第２のカードを前記収納部内へ案内するガイド部とを備え、前記ガイド部に、前記第１のカードの側面部と当接して前記第１のカードを挿着位置へ案内する第１の案内面と、該第１の案内面よりも前記収納部内の内側に位置し、前記第２のカードの側面部と当接して前記第２のカードを挿着位置へ案内する第２の案内面と、前記第１のカードの前記第１のコネクタ端子と対向する面と当接して前記第１のカードの挿入を案内する第３の案内面を形成し、前記ガイド部は、前記第１の案内面と前記第２の案内面との間に前記第３の案内面が配置されて段差状に形成されており、前記ガイド部により前記収納部に挿入される前記第２のカードの前記第１のコネクタ端子と対向する面が前記収納部に挿入される前記第１のカードの前記第１のコネクタ端子と対向する面よりも前記収納部の底部側に位置するように案内され、前記第１のコネクタ端子は、前記収納部のカード挿入方向に沿って前記第２のコネクタ端子よりも手前側に配設されると共に、一端側が前記収納部の底部に片持ち支持され、その他端側に前記収納部内に突出された接点部を有する弾性片からなり、前記収納部の底部側には、前記第１のコネクタ端子を押圧して前記接点部を前記収納部の底部側に押し下げ可能な押圧部材を設け、前記押圧部材は、上下方向に変位可能で、前記第１のコンタクト端子を押圧する押圧部と、前記第２のカードの前記第１のコネクタ端子と対向する面と接触することにより前記押圧部を下方に変位させる駆動部とを有し、前記駆動部は、前記収納部に挿入される前記第２のカードの前記第１のコネクタ端子と対向する面よりも上方に突出させて形成されており、前記第１のカードの挿入時には、前記第１のカードの前記第１のコネクタ端子と対向する面の挿入側前端部に形成された接触端子部形成用凹部内に前記駆動部を収容し、前記第１のカードの前記第１のコネクタ端子と対向する面と前記押圧部材が当接することなく、前記押圧部材は変位されずに前記第１のコネクタ端子の前記接点部と前記第１のカードの前記接触端子部が接触すると共に、前記第２のカードの挿入時には、前記第２のカードの前記第１のコネクタ端子と対向する面と前記押圧部材が当接して前記押圧部材が変位することにより、前記第１のコネクタ端子の前記接点部を前記第２のカードの前記第１のコネクタ端子と対向する面と接触しない位置まで押し下げるようにしたことを特徴とするカード用コネクタ装置。
【請求項５】
前記第１のコネクタ端子は、カード挿入方向の手前側を支持部として奥方へ片持ち状に延接され、その先端側に前記第１のカードの接触端子部と接触する前記接点部が形成されており、前記押圧部材はカード挿入方向の奥側を回動支点として手前側へ延設され、その先端側に前記第１のコネクタ端子の先端部を押圧する前記押圧部が形成されており、前記押圧部の近傍で押圧部と対向する方向に前記駆動部を突出して形成したことを特徴とする請求項４記載のカード用コネクタ装置。
【請求項６】
前記押圧部材のカード挿入方向の手前側には、前記第２のカードを前記駆動部と当接する位置へ案内する案内部材を配設したことを特徴とする請求項５記載のカード用コネクタ装置。
【請求項７】
前記押圧部は、前記第１のコネクタ端子の有する弾性力により上方に付勢されており、前記案内部材は、カード挿入方向の手前側を回動支点として奥方へ延設され、その先端部が前記押圧部の上面と係合するようにしたことを特徴とする請求項６記載のカード用コネクタ装置。
【発明の詳細な説明】
【０００１】
【発明の属する技術分野】
本発明は、携帯電話、ＰＣなど各種携帯情報端末、デジタルカメラ、デジタルＡＶ機器などのメモリー対応機器に用いられる小型メモリーカードなどに使用される、カード用コネクタ装置の構造に関する。
【０００２】
【従来の技術】
パーソナルコンピュータやデジタルカメラなどの電子機器の増設記録装置としてカード用コネクタ装置が一般的に使用されている。このカード用コネクタ装置の記憶媒体としてはＰＣカードやメモリーカードが広く使用さるようになってきている。
【０００３】
このＰＣカードやメモリーカードをカード用コネクタ装置に挿着して必要な情報の書き込み、及び読み取りを行うものであるが、近年においては、小型のメモリーカードには、長いもの、短いもの、厚いもの、薄いものなど、形状の異なる色々な種類のメモリーカードが開発されており、これらに対応してカード用コネクタ装置も様々な種類のものが開発されている。
【０００４】
この場合、カード用コネクタ装置としては１種類のメモリーカードにしか対応しておらず、一つのカード用コネクタ装置には特定の一つのメモリーカードしか挿着することができなかった。このため、色々な種類のメモリーカードを使用したい場合には、それぞれのメモリーカード専用のカード用コネクタ装置を準備する必要があった。
【０００５】
【発明が解決しようとする課題】
しかしながら、それぞれのメモリーカード専用のカード用コネクタ装置を準備する場合には、カード用コネクタ装置を搭載する電子機器が大型化してしまい、また、メモリーカードを挿着する際に、種類の異なるメモリーカードを間違って別のカード用コネクタに挿入してしまうという不具合が発生する問題があった。
【０００６】
このため、長さの異なる二つのカードを挿着可能にするために、各カードの接触端子部と接触可能なコネクタ端子部をカードの挿入方向に沿って前後二列に配設する構造が提案されているが、かかる構造では、長い方のカードを挿入する場合、長いカードは手前側に配設されたコネクタ端子を乗り越えて奥側に配設されたコネクタ端子と接触する位置まで移動されることになるため、長いカードは手前側のコネクタ端子と擦れて底面が摩耗することや、挿入時の抵抗が大きくなってしまうという問題があった。
【０００７】
したがって、本発明では上述した問題点を解決し、コネクタ端子をカードの挿入方向に沿って前後に配設して長さの異なるカードを挿着可能にすると共に、カードの挿入時に各カードを円滑に挿入することができるカード用コネクタ装置を提供することを目的とする。
【０００８】
【課題を解決するための手段】
上記課題を解決するために本発明では第１の手段として、第１のカード及び、この第１のカードより長さが長く幅狭な第２のカードの何れか一方が選択的に挿着可能な収納部を有するハウジングと、前記収納部のカード挿入方向に沿って手前側と奥側にそれぞれ並設され、前記第１のカードの接触端子部と接続される複数の第１のコネクタ端子と、前記第２のカードの接触端子部と接続される複数の第２のコネクタ端子とを備え、前記ハウジングは、前記ハウジングの前面に設けられたカード挿入部と、このカード挿入部に設けられ前記第１及び第２のカードを前記収納部内へ案内するガイド部とを備え、前記ガイド部に、前記第１のカードの側面部と当接して前記第１のカードを挿着位置へ案内する第１の案内面と、該第１の案内面よりも前記収納部内の内側に位置し、前記第２のカードの側面部と当接して前記第２のカードを挿着位置へ案内する第２の案内面と、前記第１のカードの前記第１のコネクタ端子と対向する面と当接して前記第１のカードの挿入を案内する第３の案内面を形成し、前記ガイド部は、前記第１の案内面と前記第２の案内面との間に前記第３の案内面が配置されて段差状に形成されており、前記ガイド部により前記収納部に挿入される前記第２のカードの前記第１のコネクタ端子と対向する面が前記収納部に挿入される前記第１のカードの前記第１のコネクタ端子と対向する面よりも前記収納部の底部側に位置するように案内され、前記第１のコネクタ端子は、一端側が前記収納部の底部に片持ち支持され、その他端側に前記収納部内に突出された接点部を有する弾性片からなり、前記収納部の底部側には、前記第１のコネクタ端子を押圧して前記接点部を前記収納部の底部側に押し下げ可能な押圧部材を設け、前記押圧部材は、上下方向に変位可能で、前記第１のコンタクト端子を押圧する押圧部と、前記第２のカードの前記第１のコネクタ端子と対向する面と接触することにより前記押圧部を下方に変位させる駆動部とを有し、前記駆動部は、変位しない状態において前記収納部に挿入される前記第２のカードの前記第１のコネクタ端子と対向する面よりも上方で、かつ、前記収納部に挿入される前記第１のカードの前記第１のコネクタ端子と対向する面よりも下方となる位置に配設されており、前記第１のカードの挿入時には、前記第１のカードの前記第１のコネクタ端子と対向する面と前記押圧部材が当接することなく、前記押圧部材は変位されずに前記第１のコネクタ端子の前記接点部と前記第１のカードの前記接触端子部が接触すると共に、前記第２のカードの挿入時には、前記第２のカードの前記第１のコネクタ端子と対向する面と前記押圧部材が当接して前記押圧部材が変位することにより、前記第１のコネクタ端子の前記接点部を前記第２のカードの前記第１のコネクタ端子と対向する面と接触しない位置まで押し下げるようにしたことを特徴とする。
【０００９】
また、第２の手段として、前記第２の案内面を前記第１の案内面より下方位置に形成したことを特徴とする。
【００１１】
また、第３の手段として、前記押圧部材は、前記収納部のカード挿入方向に沿って手前側の一端部が前記収納部に回動可能に軸支され、カード挿入方向に沿って奥側の他端部に前記押圧部が形成されており、前記押圧部は、前記第１のコネクタ端子の有する弾性力により上方に付勢された状態で保持されていることを特徴とする。
【００１２】
また、第４の手段として、第１のカード及び、この第１のカードより長さが長く幅狭な第２のカードの何れか一方が選択的に挿着可能な収納部を有するハウジングと、前記収納部のカード挿入方向に沿って手前側と奥側にそれぞれ並設され、前記第１のカードの接触端子部と接続される複数の第１のコネクタ端子と、前記第２のカードの接触端子部と接続される複数の第２のコネクタ端子とを備え、前記ハウジングは、前記ハウジングの前面に設けられたカード挿入部と、このカード挿入部に設けられ前記第１及び第２のカードを前記収納部内へ案内するガイド部とを備え、前記ガイド部に、前記第１のカードの側面部と当接して前記第１のカードを挿着位置へ案内する第１の案内面と、該第１の案内面よりも前記収納部内の内側に位置し、前記第２のカードの側面部と当接して前記第２のカードを挿着位置へ案内する第２の案内面と、前記第１のカードの前記第１のコネクタ端子と対向する面と当接して前記第１のカードの挿入を案内する第３の案内面を形成し、前記ガイド部は、前記第１の案内面と前記第２の案内面との間に前記第３の案内面が配置されて段差状に形成されており、前記ガイド部により前記収納部に挿入される前記第２のカードの前記第１のコネクタ端子と対向する面が前記収納部に挿入される前記第１のカードの前記第１のコネクタ端子と対向する面よりも前記収納部の底部側に位置するように案内され、前記第１のコネクタ端子は、前記収納部のカード挿入方向に沿って前記第２のコネクタ端子よりも手前側に配設されると共に、一端側が前記収納部の底部に片持ち支持され、その他端側に前記収納部内に突出された接点部を有する弾性片からなり、前記収納部の底部側には、前記第１のコネクタ端子を押圧して前記接点部を前記収納部の底部側に押し下げ可能な押圧部材を設け、前記押圧部材は、上下方向に変位可能で、前記第１のコンタクト端子を押圧する押圧部と、前記第２のカードの前記第１のコネクタ端子と対向する面と接触することにより前記押圧部を下方に変位させる駆動部とを有し、前記駆動部は、前記収納部に挿入される前記第２のカードの前記第１のコネクタ端子と対向する面よりも上方に突出させて形成されており、前記第１のカードの挿入時には、前記第１のカードの前記第１のコネクタ端子と対向する面の挿入側前端部に形成された接触端子部形成用凹部内に前記駆動部を収容し、前記第１のカードの前記第１のコネクタ端子と対向する面と前記押圧部材が当接することなく、前記押圧部材は変位されずに前記第１のコネクタ端子の前記接点部と前記第１のカードの前記接触端子部が接触すると共に、前記第２のカードの挿入時には、前記第２のカードの前記第１のコネクタ端子と対向する面と前記押圧部材が当接して前記押圧部材が変位することにより、前記第１のコネクタ端子の前記接点部を前記第２のカードの前記第１のコネクタ端子と対向する面と接触しない位置まで押し下げるようにしたことを特徴とする。
【００１３】
また、第５の手段として、前記第１のコネクタ端子は、カード挿入方向の手前側を支持部として奥方へ片持ち状に延接され、その先端側に前記第１のカードの接触端子部と接触する前記接点部が形成されており、前記押圧部材はカード挿入方向の奥側を回動支点として手前側へ延設され、その先端側に前記第１のコネクタ端子の先端部を押圧する前記押圧部が形成されており、前記押圧部の近傍で押圧部と対向する方向に前記駆動部を突出して形成したことを特徴とする。
【００１４】
また、第６の手段として、前記押圧部材のカード挿入方向の手前側には、前記第２のカードを前記駆動部と当接する位置へ案内する案内部材を配設したことを特徴とする。
【００１５】
また、第７の手段として、前記押圧部は、前記第１のコネクタ端子の有する弾性力により上方に付勢されており、前記案内部材は、カード挿入方向の手前側を回動支点として奥方へ延設され、その先端部が前記押圧部の上面と係合するようにしたことを特徴とする。
【００１６】
【発明の実施の形態】
以下、本発明の実施形態を図１乃至図２４に示す。図１はカード用コネクタ装置の平面図、図２は同じく正面図、図３は同じく縦断面図、図４は同じく異なる位置での縦断面図、図５は第１のカード挿着時のカード用コネクタ装置の平面図、図６は同じく正面図、図７は同じく縦断面図、図８は同じく異なる位置での縦断面図、図９は第２のカード挿着時のカード用コネクタ装置の平面図、図１０は同じく正面図、図１１は同じく縦断面図、図１２は同じく異なる位置での縦断面図、図１３は第１のカードの平面図、図１４は同じく正面図、図１５は同じく底面図、図１６は第２のカードの平面図、図１７は同じく正面図、図１８は同じく底面図、図１９乃至図２４は本発明の他の実施例を示し、図１９はカード用コネクタ装置の平面図、図２０は同じく縦断面図、図２１は第１のカード挿着時のカード用コネクタ装置の平面図、図２２は同じく縦断面図、図２３は第２のカード挿着時のカード用コネクタ装置の平面図、図２４は同じく縦断面図である。
【００１７】
図１乃至４において、ハウジング１は、合成樹脂などの絶縁材で前方及び上方が開口された方形状の箱形に形成されている。このハウジング１の中央には収納部１ａが設けられており、また、前記ハウジング１には、前記収納部１ａに連続してハウジング１の前面まで延びるカード挿入部１ｂが形成されている。
【００１８】
前記収納部１ａには、弾性を有する導電性の金属材からなる第１、及び第２のコネクタ端子２、３が複数個並設されている。前記第１のコネクタ端子２は、前記収納部１ａのカード挿入方向の手前側に配設されており、平板状の基部と、この基部から互いに対向する方向へ略Ｚ字状に屈曲されて形成された接続片２ａ及び接触片２ｂとから形成されている。前記第１のコネクタ端子２は、一端側に形成された前記接続片２ａが、前記収納部１ａの底面部に設けられた開口部１ｃから外方へ表出して配設されており、この接続片２ａが電子機器などの外部の回路基板上の回路パターンと半田付けされて固着されることで信号の伝送が行われるものとなる。
【００１９】
また、前記第１のコネクタ端子２の基部の他端側に形成された前記接触片２ｂが、前記収納部１ａの底部に片持ち状に支持されて前記収納部１ａ内に突出して配設されたものとなっている。また、前記接触片２ｂの先端側には、後述する第１のカード１５の接触端子部１５ａに接続される接点部２ｃが形成されている。
【００２０】
前記第２のコネクタ端子３は、前記収納部１ａの前記第１のコネクタ端子２の配設位置よりも奥側に配設されており、平板状の基部と、この基部から互いに対向する方向へ屈曲されて形成された接続片３ａ及び接触片３ｂとから形成されている。前記第２のコネクタ端子３は、一端側に形成された前記接続片３ａが、前記ハウジング１の後方外側面から外方へ表出して配設されており、この接続片３ａが電子機器などの外部の回路基板上の回路パターンと半田付けされて固着されることで信号の伝送が行われるものとなる。
【００２１】
また、前記第２のコネクタ端子３の基部の他端側に延出されて形成された前記接触片３ｂが、前記収納部１ａ内に突出して配設されたものとなっている。また、前記接触片３ｂの先端側には、後述する第２のカード１６の接触端子部１６ａに接続される接点部３ｃが形成されている。
【００２２】
また、前記カード挿入部１ｂには、後述する第２のカード１６の平面部を案内する平面からなる平坦部１ｄが設けられており、この平坦部１ｄを挟んで両側には、後述する第１及び第２のカード１５、１６の側面部を案内する一対のガイド部１ｅ、１ｅが形成されている。また、前記カード挿入部１ｂは、最大幅が第１のカード１５の幅と略等しくなるように形成されており、また、最大厚さは第２のカード１６の厚さと略等しくなるように形成されている。
【００２３】
また、一対の前記ガイド部１ｅ，１ｅには、段差状の平行面からなる複数の案内面が形成されており、前記ガイド部１ｅの上端部には、第１のカード１５の側面部と当接して第１のカード１５を挿着位置へ案内する第１の案内面１ｆが形成されている。また、前記ガイド部１ｅの下端側には、前記第１の案内面１ｆよりも内側に配置され、第２のカード１６の側面部と当接して第２のカード１６を挿着位置へ案内する第２の案内面１ｇが形成されたものとなっている。
【００２４】
尚、前記第１の案内面１ｆと前記第２の案内面１ｇとは、前記第１の案内面１ｆが前記第２の案内面１ｇより外方に形成されていると共に、前記第２の案内面１ｇを前記第１の案内面１ｆよりも下方位置に形成し、お互いの位置が高さ方向に異なった位置に形成されたものとなっている。
【００２５】
このように、前記第２の案内面１ｇを前記第１の案内面１ｆよりも下方位置に形成し、前記収納部１ａに挿入される後述する第２のカード１６の底面が、前記収納部１ａに挿入される後述する第１のカード１５の底面よりも下方に位置するように形成することにより、各カードを案内する前記第１及び第２の案内面１ｆ、１ｇを、それぞれ高さ方向の異なる位置に形成するという簡単な構成で、第２のカード１６が挿入された場合にのみ前記第１のコネクタ端子２の接点部２ｃを第２のカード１６の底面と接触しない位置まで押し下げることができるものとなっている。
【００２６】
また、前記ハウジング１の一側部には、後述するスライド部材９をカードの排出方向へ付勢するコイルばねからなる復帰ばね４を収容するばね収容部が形成されている。また、このばね収容部と対向する一端側には、スライド部材９をカードの挿着位置に保持する金属の線材からなるロックピン５が回動可能に軸支されている。
【００２７】
また、前記ハウジング１の対向する他側部には、検出手段の一部である固定接点部材６と、この固定接点部６を挟んで上下位置に第１の可動接点部材７及び第２の可動接点部材８が配設されている。前記固定接点部材６は導電性の金属板からなり、中央の基部の両側には、対向して上下方向に延設された平板状の第１の接片６ａ及び第２の接片６ｂが形成されている。この第１の接片６ａと第２の接片６ｂとは、お互いに９０度捻った状態で基部から延設されており、それぞれの自由端側の接点部はお互いに交差する方向に設けられている。また、前記基部には、前記ハウジング１の外側面から外方へ突出する端子片６ｃが形成されている。
【００２８】
前記第１の可動接点部材７は、同じく導電性の金属板からなり、基部から下方の一端側に延設された平板状の可動片７ａと、これとは交差する方向に延出され前記ハウジング１の外側面から外方へ突出する端子片７ｂが形成されている。また、前記可動片７ａの自由端側は下側に略Ｕ字状に屈曲されており、この先端部が前記固定接点部材６の第１の接片６ａの接点部と接離される接点部となっている。
【００２９】
この場合、前記固定接点部材６の第１の接片６ａと前記第１の可動接点部材７の可動片７ａとは上下方向（この場合カード挿入方向に直交する方向）に対向した状態で前記ハウジング１に配設されており、後述する作動部の回動部材１２に前記可動片７ａの屈曲部上面が押圧されることにより、前記可動片７ａと前記第１の接片６ａとが上下方向に変位されるように形成されている。尚、前記固定接点部材６の第１の接片６ａと、前記第１の可動接点部材７の可動片７ａとが接触することで後述する第１のカード１５の挿入が完了したことを検出するようになっている。
【００３０】
前記第２の可動接点部材８は、同じく導電性の金属板からなり、基部から上方の一端側に延設された平板状の可動片８ａと、これとは交差する方向に延出され前記ハウジング１の外側面から外方へ突出する端子片８ｂが形成されている。また、前記可動片８ａの自由端側は、互いに対向する方向に膨出する膨出部を有する略Ｓ字状に屈曲されており、この一方の膨出部が前記固定接点部材６の第２の接片６ｂの接点部と接離される接点部となっている。
【００３１】
この場合、前記固定接点部材６の第２の接片６ｂと前記第２の可動接点部材８の可動片８ａとは横方向に対向した状態で前記ハウジング１に配設されており、後述する第１のカード１５の識別子１５ｄに前記可動片８ａの他方の膨出部が押圧されることにより、前記可動片８ａと前記第２の接片６ｂとが横方向に変位されるように形成されている。尚、前記固定接点部材６の第２の接片６ｂと、前記第２の可動接点部材８の可動片８ａとが接離することで後述する第１のカード１５の書き込み禁止か否かを検出するようになっている。
【００３２】
このように、検出手段は、前記第１の可動接点部材７と、この第１の可動接点部材７と一端側が接離される前記固定接点部材６と、この固定接点部材６の他端側と接離される前記第２の可動接点部材８とから形成されているので、後述する第１のカード１５の挿入の完了の検出と、第１のカード１５への書き込みの禁止の検出とを一つの検出手段で行うことができるものとなっている。
【００３３】
スライド部材９は、合成樹脂などの絶縁材から略Ｈ字状に形成されており、このスライド部材９には、手前側に位置して後述する第１のカード１５が収容される第１のカード収容部９ａと、この第１のカード収容部９ａより後方側に位置して後述する第２のカード１６が収容される第２のカード収容部９ｂとが形成されている。
【００３４】
また、前記第１のカード収容部９ａの一側面部には、収容される第１のカード１５の側面部に設けられた位置決め用の凹部１５ｅに係合する、ばね性を有する金属板等からなる第１係合片１０が固着されており、また、前記第２のカード収容部９ｂの一側面部には、同じく、収容される第２のカード１６の側面部に設けられた位置決め用の凹部１６ｃに係合する、ばね性を有する金属板等からなる第２係合片１１が固着されたものとなっている。
【００３５】
また、前記第１のカード収容部９ａの他側面部には、収容される第１のカード１５の前端部の角部と係合される回動部材１２が形成されており、この回動部材１２の一端側が前記スライド部材９に回動可能に軸支されている。前記回動部材１２は、第１のカード１５が前記第１のカード収容部９ａに収容されるのに伴って、他端側が横方向に回動するようになっており、第１のカード１５がカードの挿着位置に挿着された時には、前記他端部が前記第１の可動接点部材７の可動片７ａの上面側を押圧して押し下げることにより前記固定接点部材６の第１の接片６ａと接触させるようになっている。
【００３６】
また、前記回動部材１２には、前記他端部を復帰方向（前記第１のカード収容部９ａの内側方向）に付勢するばね部材１３が設けられており、このばね部材１３と前記回動部材１２とで検出手段の一部である作動部が構成されている。また、この作動部は、前記ハウジング１のカード挿入部１ｂの両側に設けられた、第１のカード１５の挿入を案内する前記第１の案内面１ｆと、第２のカード１６の挿入を案内する前記第２の案内面１ｇとの間に位置するように前記第１のカード収容部９ａに配置されたものとなっている。
【００３７】
また、前記スライド部材９には、前記ハウジング１のばね収容部に収容された、前記復帰ばね４の一端部が係止されるばね係止部９ｃが設けられており、また前記スライド部材９の一端側には、前記ハウジング１の一端側に軸支された前記ロックピン５の他端が摺接されるハート型カム溝９ｄが形成されている。前記ロックピン５と前記ハート型カム溝９ｄとの協同によって前記スライド部材９は、前記復帰ばね４の付勢力に抗してカードの挿着位置に保持されるものとなっている。
【００３８】
押圧部材１４は、合成樹脂などの絶縁材からなり、方形で板状の駆動部１４ａと、この駆動部１４ａに連設され上面に一定の傾斜面を有する、同じく方形で板状の押圧部１４ｂとから形成されている。また、前記駆動部１４ａの一端側には、外方に突出する一対の支軸部１４ｃが形成されており、この支軸部１４ｃが前記ハウジング１の収納部１ａに設けられた軸受け部１ｈに軸支され、上下方向に回動可能に変位することができるものとなっている。
【００３９】
また、前記支軸部１４ｃの他端側に位置する前記押圧部１４ｂの先端が、前記ハウジング１の収納部１ａに配設された前記第１のコネクタ端子２と当接された状態となっており、前記押圧部１４ｂは、前記第１のコネクタ端子２の有する弾性力により上方に付勢された状態で保持されたものとなっている。尚、前記押圧部材１４は、前記収納部１ａのカード挿入方向に沿って手前側の一端部が前記収納部１ａに回動可能に軸支されており、カード挿入方向に沿って奥側の他端部に前記押圧部１４ｂが形成されたものとなっている。
【００４０】
また、前記押圧部材１４は、前記駆動部１４ａが、前記収納部１ａに挿入される後述する第２のカード１６の底面よりも上方で、かつ、前記収納部１ａに挿入される後述する第１のカード１５の底面よりも下方となる位置に配設されており、第２のカード１６が前記収納部１ａに挿入された際には、前記駆動部１４ａが第２のカード１６の底面との接触によって下方に回動され変位されるようになっている。
【００４１】
このように、前記駆動部１４ａが、前記収納部１ａに挿入される後述する第２のカード１６の底面よりも上方で、かつ、前記収納部１ａに挿入される後述する第１のカード１５の底面よりも下方となる位置に配設されているので、前記駆動部１４ａは後述する第２のカード１６の底面とのみ接触することになるため、簡単な構成で、第２のカード１６が挿入された場合にのみ前記第１のコネクタ端子２の接点部２ｃを第２のカード１６の底面と接触しない位置まで押し下げることができるものとなっている。
【００４２】
また、前記押圧部材１４の押圧部１４ｂが、前記第１のコネクタ端子２の有する弾性力により上方に付勢された状態で保持されているので、前記第１のコネクタ端子２の弾性力を利用して前記押圧部材１４を初期位置に保持させることができるため、別途保持部材を設ける必要がなく、部品点数が削減でき、ローコスト化が図れるものとなっている。
【００４３】
尚、図示はしないが、前記ハウジング１の上面側には、金属板からなるカバー部材が、前記ハウジング１の上面側の開口部を覆うように取り付けられている。また、このカバー部材は前記ハウジング１の収納部１ａに配設された前記第１及び第２のコネクタ端子２、３の上面を覆うように形成されており、外部からの輻射ノイズ等の侵入を防止するシールド板の役目も果たすものとなっている。
【００４４】
図１３乃至１５において、第１のカード１５は、内部に集積回路（ＩＣ）が収納されており、記録媒体として広く使用されているものである。この第１のカード１５の一表面には、その一端側に複数の接触端子部１５ａが形成されており、この接触端子部１５ａが前記ハウジング１の収納部１ａに配設された前記第１のコネクタ端子２の接触片２ｂと接触することにより、外部に接続された電子機器との種々の情報処理が行われるものとなっている。
【００４５】
また、前記第１のカード１５には、前記接触端子部１５ａの形成側のその一隅部に、斜面状の切り欠き部１５ｂが設けられている。前記第１のカード１５が前記スライド部材９の第１のカード収容部９ａに挿入された時、この切り欠き部１５ｂと他端側の角部が前記スライド部材９の第１のカード収容部９ａの内面係止部９ｅと前記回動部材１２に係合することによって、前記スライド部材９が前記第１のカード１５の挿入に伴って挿入方向へ移動可能となるように形成されている。
【００４６】
また、前記第１のカード１５の一側面部には、カードの書き込み禁止を示す識別部である凹溝部１５ｃが形成され、この凹溝部１５ｃにはスライド可能な識別子１５ｄが設けられている。この識別子１５ｄをスライド移動させることにより、前記凹溝部１５ｃの位置を変更することができ、この位置に応じてカードへの書き込みの可否を変更することが可能となっている。
【００４７】
また、前記第１のカード１５の他側面部には、位置決め用の凹部１５ｅが形成されている。この凹部１５ｅに前記第１のカード収容部９ａの一側面部に設けられたばね性を有する前記第１係合片１０が係合することで前記第１のカード１５を前記スライド部材９の第１のカード収容部９ａに保持させるものとなっている。
【００４８】
尚、前記第１のカード１５の下面側両端部には長尺状の切り溝部１５ｆが形成されており、この切り溝部１５ｆを除いた最大幅寸法はやや幅広に形成されており、これに対して最大厚さ寸法はやや肉薄に形成されたものとなっている。
【００４９】
また、前記第１のカード１５の下面の一端側に形成された複数の前記接触端子部１５ａの周面部には、下面から一段下がった位置に複数の接触端子部形成用凹部１５ｇが形成されており、この接触端子部形成用凹部１５ｇの内底面に前記接触端子部１５ａが配設されたものとなっている。
【００５０】
図１６乃至１８において、第２のカード１６は、内部に集積回路（ＩＣ）が収納されており、記録媒体として広く使用されているものである。この第２のカード１６の一表面には、その一端側に複数の接触端子部１６ａが形成されており、この接触端子部１６ａが前記ハウジング１の収納部１ａに配設された前記第２のコネクタ端子３の接触片３ｂと接触することにより、外部に接続された電子機器との種々の情報処理が行われるものとなっている。
【００５１】
また、前記第２のカード１６の一端部には傾斜面からなる切り欠き部１６ｂが形成されており、この切り欠き部１６ｂと一定の間隔をおいて前記第２のカード１６の一側面部には、位置決め用の凹部１６ｃが形成されている。前記第２のカード１６を前記スライド部材９の第２のカード収容部９ｂに挿入する際、この凹部１６ｃに、前記第２のカード収容部９ｂの一側面部に設けられたばね性を有する前記第２係合片１１が係合することにより、第２のカード１６を前記スライド部材９の第２のカード収容部９ｂに保持させるものとなっている。
【００５２】
前記第２のカード１６が前記スライド部材９の第２のカード収容部９ｂに挿入された時、前記第２のカード１６の前縁部が前記スライド部材９の第２のカード収容部９ｂの一対の前面係止部９ｆ、９ｇに当接することによって、前記スライド部材９が前記第２のカード１６の挿入に伴って挿入方向へ移動可能となるように形成されている。
【００５３】
尚、前記第２のカード１６は略長方体状に形成されており、前記第１のカード１５に比較して、最大幅寸法はやや幅狭に形成されており、これに対して最大厚さ寸法はやや肉厚に形成されたものとなっている。また、挿入方向の長さが前記第１のカード１５よりも長く長尺状に形成されたものとなっている。
【００５４】
上記構成のように、形状の異なる、それぞれの前記第１のカード１５、及び前記第２のカード１６を前記ハウジング１のカード挿入部１ｂに挿入する場合、上記実施例の構成においては、図６及び図１０に示すように、前記カード挿入部１ｂは、最大幅が、幅広、肉薄である前記第１のカード１５の幅と略等しくなるように形成されており、また、最大厚さは、幅狭、肉厚である前記第２のカード１６の厚さと略等しくなるように形成されていることから、それぞれの前記第１、及び第２のカード１５、１６の挿入が可能となっている。
【００５５】
また、この場合、前記カード挿入部１ｂの両側部には一対の前記ガイド部１ｅ，１ｅが形成されており、この前記ガイド部１ｅに前記第１のカード１５を挿着位置に案内する第１の案内面１ｆと、前記第２のカード１６の側面部と当接して第２のカード１６を挿着位置へ案内する第２の案内面１ｇとを形成したことから、形状の異なる複数種類のカードを円滑に、かつ確実にカードの挿着位置に案内することができるものとなっている。
【００５６】
また、前記第２のカード１６は前記第１のカード１５よりも挿入方向の長さが長く長尺状に形成されており、また、前記ハウジング１の収納部１ａには、前記第１のカード１５の接触端子部１４ａと接触する前記第１のコネクタ端子２と、前記第２のカード１６の接触端子部１５ａと接触する前記第２のコネクタ端子３とを、カードの挿入方向に違えて、それぞれの前記接触端子部１５ａ、１６ａの形成位置に対応させて配設するようにしたことから、形状の異なる複数種類のカードと、これらを挿着するコネクタ装置のコネクタ端子との接触を確実に行うことができるものとなっている。
【００５７】
次に、図５乃至図１２を用いて前記第１のカード１５、及び第２のカード１６をコネクタ装置に挿入する場合の動作を説明する。
まず、図１に示す初期の状態、すなわち前記第１のカード１５の未挿入時には、前記スライド部材９は前記復帰ばね４の付勢力によりカードの排出方向へ付勢されている。この時、前記固定接点部材６と第１及び第２の可動接点部材７、８は共に離間しておりオフ状態となっている。
【００５８】
次に、前記第１のカード１５が、前記スライド部材９の第１のカード収容部９ａに挿入されると、前記第１のカード１５は、前記第１係合片１０により位置決め用の前記凹部１５ｅが係合されて前記第１のカード収容部９ａに保持されるものとなる。そして、前記第１のカード１５の前端部の角部が、前記第１のカード収納部９ａに回動可能に軸支された前記回動部材１２に当接して、この回動部材１２を反時計方向へ回動させるものとなる。この時、前記第１のカード１５の接触端子部１５ａは前記第１のコネクタ端子２の接触片２ｂの接点部とは離間している。
【００５９】
次に、前記第１のカード１５をカードの挿入方向へ押圧してやると、前記第１のカード１５の切り欠き部１５ｂと他端側の角部が、前記スライド部材９の第１のカード収容部９ａの内面係止部９ｅと前記回動部材１２に係合していることから、前記スライド部材９が前記第１のカード１５の挿入に伴って挿入方向へ移動可能となり、前記復帰ばね４の付勢力に抗して前記スライド部材９がカードの挿入方向へ移動して、前記ロックピン５の一端部が前記ハート型カム溝６ｄをトレースしてロック位置にロックされる。（図５）
【００６０】
この時、前記押圧部材１４の駆動部１４ａは、挿入される前記第１のカード１５の底面よりも下方となる位置に配設されており、前記第１のカード１５の底面とは当接しないことから、前記押圧部材１４は変位されず、前記駆動部１４ａが回動して前記第１のコネクタ端子２の接触片２ｂを押し下げることがないので、前記第１のカード１５の接触端子部１５ａは前記第１のコネクタ端子２の接触片２ｂの接点部と接触するものとなる。（図７）
【００６１】
また、この時、前記回動部材１２が前記第１の可動接点部材７の可動片７ａを押圧することにより、前記固定接点部材６の第１の接片６ａと接触することで前記第１のカード１５の挿入が完了したことを検出することができる。また、前記第１のカード１５に設けられた前記識別子１５ｄが前記第２の可動接点部材８の可動片８ａを押圧することにより、前記固定接点部材６の第２の接片６ｂと接触することで前記第１のカード１５の書き込み禁止か否かを検出することができるものとなっている。（図５及び図８）
【００６２】
このように、前記第１のカード１５の挿入により前記押圧部材１４が回動されないようにしたことにより、前記第１のカード１５の接触端子部１５ａと前記第１のコネクタ端子２の接触片２ｂの接点部２ｃとを確実に接触させることができるものとなっている。
【００６３】
次に、図１に示す初期の状態、すなわち前記第２のカード１６の未挿入時には、前記スライド部材９は前記復帰ばね４の付勢力によりカードの排出方向へ付勢されている。この時、前記固定接点部材６と第１及び第２の可動接点部材７、８は共に離間しておりオフ状態となっている。
【００６４】
次に、前記第２のカード１６が、前記スライド部材９の第２のカード収容部９ｂに挿入されると、前記第２のカード１６は、前記第２係合片１１により位置決め用の前記凹部１６ｃが係合されて前記第２のカード収容部９ｂに保持されるものとなる。この時、前記第２のカード１６の接触端子部１６ａは前記接触片３ｂの接点部とは離間している。
【００６５】
次に、前記第２のカード１６をカードの挿入方向へ押圧してやると、前記第２のカード１６の前縁部が前記スライド部材９の第２のカード収容部９ｂの一対の全面係止部９ｅと係合することによって、前記スライド部材９が前記第２のカード１６の挿入に伴って挿入方向へ移動可能となり、前記復帰ばね４の付勢力に抗して前記スライド部材９がカードの挿入方向へ移動して、前記ロックピン５の一端部が前記ハート型カム溝９ｄをトレースしてロック位置にロックされる。（図９）
【００６６】
この場合、前記第２のカード１６は前記第１のカード１５より肉厚に形成されており、また、前記押圧部材１４の駆動部１４ａは、挿入される前記第２のカード１６の底面よりも上方となる位置に配設されていることから、前記駆動部１４ａは挿入される前記第２のカード１６の底面に当接されて下方に変位し、前記押圧部１４ｂが前記支軸部１４ｃを支点として回動して前記第１のコネクタ端子２の接触片２ｂを押し下げることとなる。
【００６７】
この前記第２のカード１６の挿入に伴い、前記押圧部材１４が回動することにより、前記第２のカード１６の底面が、前記第１のコネクタ端子２の接触片２ｂの前記接点部２ｃと接触することなくカードの挿着位置まで挿入されるものとなる。そして、前記第２のカード１６の接触端子部１６ａは前記第２のコネクタ端子３の接触片３ｂの接点部と接触するものとなる。（図１１）
【００６８】
この場合、前記第１のカード１５は幅広かつ肉薄に形成され、前記第２のカード１６は前記第１のカード１５より幅狭かつ肉厚に形成されており、前記第２のカード１６は、前記第１のカード１５に比べてその幅が狭くなっていることから、挿入の過程において、前記第１のカード収容部９ａに設けられた前記回動部材１２とは当接されず、また、前記ハウジング１に設けられた前記第２の可動接点部材８の可動片８ａの膨出部とも当接されずに、前記スライド部材９と共にカードの挿着位置まで挿入されるものとなっている。（図９及び図１２）
【００６９】
上記構成によれば、前記ハウジング１の収納部１ａの手前側に、前記第１のカード１５の接触端子部１５ａと接触する前記第１のコネクタ端子２を押圧して前記収納部１ａの底部側に押し下げる前記押圧部材１４を設けるようにしてあり、前記第１のカード１５の挿入時には、前記押圧部材１４は変位されずに前記第１のコネクタ端子２の接点部２ｃと前記第１のカード１５の接触端子部１５ａが接触すると共に、前記第２のカード１６の挿入時には、前記第２のカード１６の底面と前記押圧部材１４が当接して前記押圧部材１４が変位することにより、前記第１のコネクタ端子２の接点部２ｃを前記第２のカード１６の底面と接触しない位置まで押し下げるように形成しているので、長さが長く肉厚な前記第２のカード１６が前記収納部１ａに挿入される場合においては、前記収納部１ａの手前側に並設された前記第１のコネクタ端子２の接点部２ｃが前記第２のカード１６の底面と接触しない位置まで押し下げられるため、カード挿入時の抵抗が大きくなることを防止できると共に、前記第１のコネクタ端子２と擦れて底面が摩耗することを防止でき、カードの挿入時に各カードを円滑に挿入することができるものとなっている。
【００７０】
図１９乃至図２４に示すのは、本発明のカード用コネクタ装置の他の実施例の構成を示しており、上記した実施例の構成と相違する点は、前記第２のカード１６の底面と当接して前記第１のコネクタ端子２の接点部２ｃを前記第２のカード１６の底面と接触しない位置まで押し下げるように形成された押圧部材の構成が一部相違している点である。
尚、図１乃至図１８で説明した同一部品については、同一符号を付してその説明を省略する。
【００７１】
図１９及び図２０において、押圧部材２１は、合成樹脂などの絶縁材からなり、略方形で平板状に形成されている。この押圧部材２１の一端側には、支軸部２１ａが設けられており、この支軸部２１ａが前記ハウジング１の収納部１ａに設けられた軸受け部１ｉに軸支され、上下方向に回動可能に変位することができるものとなっている。また、前記押圧部材２１の前記支軸部２１ａと対向する他端側には、複数の窓孔部２１ｂが並設されており、この複数の窓孔部２１ｂのいくつかの一端側には、上方へ突出した突起部からなる駆動部２１ｃが形成されている。
【００７２】
また、前記押圧部材２１は、前記収納部１ａのカード挿入方向に沿って奥側に前記支軸部２１ａが回動可能に軸支されており、前記窓孔部２１ｂ及び前記駆動部２１ｃが手前側に配置されている。また、前記第１のコネクタ端子２はカードの挿入方向の手前側を支持部として奥方へ片持ち状に支持されており、前記押圧部材２１と前記第１のコネクタ端子２とは、前記第１のコネクタ端子２の先端部に形成された前記接点部２ｃが、前記押圧部材２１の前記窓孔部２１ｂに下方から挿通されて、前記押圧部材２１の上面側へ突出された状態で互いに係合されたものとなっている。
【００７３】
また、この時、前記押圧部材２１は、前記窓孔部２１ｂの下面側の一端部、すなわち前記駆動部２１ｃの形成位置とは対向する反対側の一端部が、前記第１のコネクタ端子２の前記接触片２ｂと当接された状態となっており、前記押圧部材２１は、前記第１のコネクタ端子２の有する弾性力により上方に付勢された状態で保持されたものとなっている。また、前記押圧部材２１の前記駆動部２１ｃと対向する下面側が前記第１のコネクタ端子２を下方へ押圧して変位させる押圧部２１ｄとなっている。
【００７４】
また、前記押圧部材２１は、前記駆動部２１ｃが、前記収納部１ａに挿入される前記第１のカード１５の前記接触端子部形成用凹部１５ｇの内底面よりも若干下方となる位置に配設されている。そして、前記第１のカード１５が前記収納部１ａに挿入された際には、前記駆動部２１ｃは前記第１のカード１５の前記接触端子部形成用凹部１５ｇ内に収容された状態となり、前記駆動部２１ｃは前記第１のカード１５とは当接されないものとなっている。また、前記第２のカード１６が前記収納部１ａに挿入された際には、前記駆動部２１ｃが前記第２のカード１６の底面と接触することによって下方に押圧され、前記押圧部材２１が回動されることにより前記第１のコネクタ端子２が前記押圧部２１ｄにより下方へ押圧されて変位されるようになっている。
【００７５】
また、前記押圧部材２１のカード挿入方向に沿った手前側には、同じく合成樹脂などの絶縁材からなり、略方形で平板状の案内部材２２が配設されている。この案内部材２２の一端側には、支軸部２２ａが設けられており、この支軸部２２ａが前記ハウジング１の収納部１ａに設けられた軸受け部１ｊに軸支され、上下方向に回動可能に変位することができるものとなっている。
【００７６】
また、前記案内部材２２は、前記収納部１ａのカード挿入方向に沿って手前側に前記支軸部２２ａが回動可能に軸支されており、この支軸部２２ａの他端側両端部には、前記駆動部２１ｃが形成された前記押圧部材２１の先端側上面と係合する係合部２２ｂが設けられている。そして、前記案内部材２２は、前記係合部２２ｂが、前記押圧部材２１と当接された状態となっており、前記押圧部材２１を介して前記案内部材２２は、前記第１のコネクタ端子２の有する弾性力により上方（初期位置）に付勢された状態で保持されたものとなっている。
【００７７】
このように、前記押圧部材２１のカード挿入方向の手前側には、前記第２のカード１６を前記駆動部２１ｃと当接する位置へ案内する前記案内部材２２を配設するようにしたので、前記案内部材２２により前記第２のカード１６の挿入が案内されて、前記第２のカード１６を前記押圧部材２１の前記駆動部２１ｃと当接する位置まで円滑に挿入することができると共に、前記第２のカード１６の底面が前記駆動部２１ｃと確実に当接することから、前記第１のコネクタ端子２を前記第２のカード１６の底面と接触しない位置へ押し下げることができるものとなっている。
【００７８】
また、前記押圧部材２１の先端側の前記押圧部２１ｄは、前記第１のコネクタ端子２の有する弾性力により上方に付勢されており、前記案内部材２２は、カード挿入方向の手前側を回動支点として奥方へ延設され、その先端部が前記押圧部材２１の前記押圧部２１ｄの上面と係合するように形成されているので、前記第１のコネクタ端子２の弾性力を利用して前記押圧部材２１と前記案内部材２２を初期位置に保持させることができるため、前記押圧部材２１及び前記案内部材２２を上方に付勢して保持しておくための専用の付勢部材を別途設ける必要がなく、部品点数が削減でき、コストダウンが図れるものとなっている。
【００７９】
次に、図２１乃至図２４を用いて前記第１のカード１５、及び第２のカード１６をコネクタ装置に挿入する場合の動作を説明する。
尚、前記押圧部材２１及び前記案内部材２２以外の他の部品の動作については図５乃至図１２で説明した動作と略同一のため、その説明を省略する。
【００８０】
前記第１のカード１５が、前記収納部１ａに挿入されると、前記第１のカード１５は、前記第１係合片１０により位置決め用の前記凹部１５ｅが係合されて前記第１のカード収容部９ａに保持されるものとなる。この時、前記押圧部材２１は、前記案内部材２２との係合により、前記第１のコネクタ端子２の付勢力に抗して初期位置に保持されたものとなっている。
【００８１】
そして、この時、前記押圧部材２１に形成された前記駆動部２１ｃは、挿入される前記第１のカード１５の前記接触端子部形成用凹部１５ｇの内底面よりも下方となる位置に配設されており、前記第１のカード１５とは当接しないことから、前記押圧部材２１は変位されず、前記駆動部２１ｃが回動して前記第１のコネクタ端子２の接触片２ｂを押し下げることがないので、前記第１のカード１５の接触端子部１５ａは前記第１のコネクタ端子２の接触片２ｂの接点部２ｃと接触するものとなる。（図２２）
【００８２】
このように、前記駆動部２１ｃが、前記第１のカード１５の前記接触端子部形成用凹部１５ｇ内に収容されるようにして、前記第１のカード１５の挿入により前記押圧部材２１が回動されないようにしたことにより、前記第１のカード１５の接触端子部１５ａと前記第１のコネクタ端子２の接触片２ｂの接点部２ｃとを確実に接触させることができるものとなっている。
【００８３】
次に、前記第２のカード１６が、前記収納部１ａに挿入されると、前記第２のカード１６は、前記第２係合片１１により位置決め用の前記凹部１６ｃが係合されて前記第２のカード収容部９ｂに保持されるものとなる。この時、前記第２のカード１６は、前記第１のカード収納部９ａを挿通して、前記収納部１ａのカード挿入方向の手前側に配設された前記第１のコネクタ端子２の上方を通過して挿入されるものとなる。
【００８４】
そして、この時、前記第２のカード１６は前記第１のカード１５より肉厚に形成されており、また、前記押圧部材２１の前記駆動部２１ｃは、前記収納部１ａに挿入される前記第２のカード１６の底面位置よりも上方に突出するように形成されているので、前記駆動部２１ｃは挿入される前記第２のカード１６の底面に当接されて下方に押し下げられるため、前記押圧部２１ｄが前記支軸部２１ａを支点として下方に回動して、前記第１のコネクタ端子２の接触片２ｂを押し下げることとなる。
【００８５】
この前記第２のカード１６の挿入に伴い、前記押圧部材２１が回動することにより、前記第２のカード１６の底面が、前記第１のコネクタ端子２の接触片２ｂの前記接点部２ｃと接触することなくカードの挿着位置まで挿入されるものとなる。そして、前記第２のカード１６の接触端子部１６ａは前記第２のコネクタ端子３の接触片３ｂの接点部３ｃと接触するものとなる。（図２４）
【００８６】
このように、前記押圧部材２１の先端側には、前記第１のコネクタ端子２の先端部を押圧する前記押圧部２１ｄが形成されており、前記押圧部２１ｄの近傍で前記押圧部２１ｄと対向する反対側の方向に前記駆動部２１ｃを突出して形成するようにしたので、前記第２のカード１６の挿入時には、確実に、前記第２のカード１６の底面で前記駆動部２１ｃを押圧することができ、前記駆動部２１ｃが押し下げられることにより前記第１のコネクタ端子２の前記接点部２ｃを押し下げることができるため、前記第２のカード１６の挿入時には挿入抵抗を小さくすることができるものとなっている。
【００８７】
上記した実施例によれば、前記押圧部材２１に、上下方向に変位可能で前記第１のコネクタ端子２を押圧する前記押圧部２１ｄと、前記第２のカード１６の底面との接触により前記押圧部２１ｄを下方に変位させる前記駆動部２１ｃとを形成し、前記駆動部２１ｃは、前記収納部１ａに挿入される前記第２のカード１６の底面位置よりも上方に突出させて形成し、前記第１のカード１５の挿入時には、前記第１のカード１５の挿入側前端部に形成された前記接触端子部形成用凹部１５ｇ内に前記駆動部２１ｃを収容するようにしたので、前記駆動部２１ｃを前記第１のカード１５の前記接触端子部形成用凹部１５ｇ内へ突出させることにより前記第１のカード１５の底面位置より上方へ突出させることができるため、前記第１のカード１５と前記第２のカード１６との厚さに差が少ない場合においても、確実に、前記第２のカード１６の挿入時に前記第１のコネクタ端子２の前記接点部２ｃを前記第２のカード１６の底面と接触しない位置まで押し下げることができるものとなっている。
【００８８】
【発明の効果】
以上説明したように、本発明のカード用コネクタ装置は、長さが短く肉薄な第１のカードと、この第１のカードより長さが長く肉厚な第２のカードの両方が挿着可能な収納部を有するハウジングと、収納部のカード挿入方向に沿って手前側と奥側にそれぞれ並設され、第１のカードの接触端子部と接続される複数の第１のコネクタ端子と、第２のカードの接触端子部と接続される複数の第２のコネクタ端子とを備え、第１のコネクタ端子は、一端側が収納部の底部に片持ち支持され、その他端側に収納部内に突出された接点部を有する弾性片からなり、収納部には、第１のコネクタ端子を押圧して接点部を収納部の底部側に押し下げる押圧部材を設け、第１のカードの挿入時には、押圧部材は変位されずに第１のコネクタ端子の接点部と第１のカードの接触端子部が接触すると共に、第２のカードの挿入時には、第２のカードの底面と押圧部材が当接して押圧部材が変位することにより、第１のコネクタ端子の接点部を第２のカードの底面と接触しない位置まで押し下げるようにしたことから、長さが長く肉厚な第２のカードが収納部に挿入される場合においては、収納部の手前側に並設された第１のコネクタ端子の接点部が第２のカードの底面と接触しない位置まで押し下げられるため、カード挿入時の抵抗が大きくなることを防止できると共に、第１のコネクタ端子と擦れて底面が摩耗することを防止でき、カードの挿入時に各カードを円滑に挿入することができる。
【００８９】
また、ハウジングは、ハウジングの前面に設けられたカード挿入部と、このカード挿入部の両側に設けられ第１及び第２のカードを収納部内へ案内するガイド部とを備え、ガイド部に、第１のカードの側面部と当接して第１のカードの挿入を案内する第１の案内面と、第２のカードの側面部と当接して第２のカードの挿入を案内する第２の案内面を形成すると共に、第２の案内面を第１の案内面より下方位置に形成し、収納部に挿入される第２のカードの底面が収納部に挿入される第１のカードの底面よりも下方に位置するように形成したことから、各カードを案内する案内面を高さ方向の異なる位置に形成する簡単な構成で、第２のカードが挿入された場合にのみ第１のコネクタ端子の接点部を第２のカードの底面と接触しない位置まで押し下げることができる。
【００９０】
また、押圧部材は、上下方向に変位可能で第１のコネクタ端子を押圧する押圧部と、第２のカードの底面との接触により押圧部を下方に回動させる駆動部とを備え、駆動部は、収納部に挿入される第２のカードの底面よりも上方で、かつ、収納部に挿入される第１のカードの底面よりも下方となる位置に配設したことから、駆動部は第２のカードの底面とのみ接触することになるので、簡単な構成で、第２のカードが挿入された場合にのみ第１のコネクタ端子の接点部を第２のカードの底面と接触しない位置まで押し下げることができる。
【００９１】
また、押圧部材は、収納部のカード挿入方向に沿って手前側の一端部が収納部に回動可能に軸支され、カード挿入方向に沿って奥側の他端部に押圧部が形成されており、押圧部は、第１のコネクタ端子の有する弾性力により上方に付勢された状態で保持されていることから、第１のコネクタ端子の弾性力を利用して押圧部材を初期位置に保持させる構成となっているので、別途保持部材を設ける必要がなく、部品点数が削減でき、ローコスト化が図れる。
【００９２】
また、第１のコネクタ端子は、収納部のカード挿入方向に沿って第２のコネクタ端子よりも手前側に配設されると共に、一端側が第１のカード及び第２のカードが挿入される収納部の下側に片持ち支持された弾性片からなり、押圧部材は、上下方向に変位可能で第１のコネクタ端子を押圧する押圧部と、第２のカードの底面との接触により押圧部を下方に変位させる駆動部とを備え、駆動部は、収納部に挿入される第２のカードの底面位置よりも上方に突出させて形成し、第１のカードの挿入時には、第１のカードの挿入側前端部に形成された接触端子部形成用凹部内に駆動部を収容するようにしたことから、駆動部を第１のカードの接触端子部形成用凹部内へ突出させることにより第１のカードの底面位置より上方へ突出させることができるため、第１のカードと第２のカードとの厚さに差が少ない場合においても、確実に、第２のカードの挿入時に第１のコネクタ端子の接点部を第２のカードの底面と接触しない位置まで押し下げることができる。
【００９３】
また、第１のコネクタ端子は、カード挿入方向の手前側を支持部として奥方へ片持ち状に延接され、その先端側に第１のカードの接触端子部と接触する接点部が形成されており、押圧部材はカード挿入方向の奥側を回動支点として手前側へ延設され、その先端側に第１のコネクタ端子の先端部を押圧する押圧部が形成されており、押圧部の近傍で押圧部と対向する方向に駆動部を突出して形成したことから、確実に、第２のカードの底面で駆動部を押圧することができ、第１のコネクタ端子の接点部を押し下げることができるため、第２のカードの挿入時には挿入抵抗を小さくすることができる。
【００９４】
また、押圧部材のカード挿入方向の手前側には、第２のカードを駆動部と当接する位置へ案内する案内部材を配設したことから、第２のカードを円滑に挿入することができると共に、第１のコネクタ端子を第２のカードの底面と接触しない位置へ押し下げることができる。
【００９５】
また、押圧部は、第１のコネクタ端子の有する弾性力により上方に付勢されており、案内部材は、カード挿入方向の手前側を回動支点として奥方へ延設され、その先端部が押圧部の上面と係合するようにしたことから、押圧部材及び案内部材を上方に付勢して保持しておくための専用の付勢部材が別途必要ないため、部品点数が削減でき、コストダウンが図れる。
【図面の簡単な説明】
【図１】本発明の一実施例であるカード用コネクタ装置を示す平面図である。
【図２】本発明の同じくカード用コネクタ装置を示す正面図である。
【図３】本発明の同じくカード用コネクタ装置を示す縦断面図である。
【図４】本発明の同じくカード用コネクタ装置を示す異なる位置での縦断面図である。
【図５】本発明の第１のカード挿着時のカード用コネクタ装置を示す平面図である。
【図６】本発明の同じく第１のカード挿着時のカード用コネクタ装置を示す正面図である。
【図７】本発明の同じく第１のカード挿着時のカード用コネクタ装置を示す縦断面図である。
【図８】本発明の同じく第１のカード挿着時のカード用コネクタ装置を示す異なる位置での縦断面図である。
【図９】本発明の第２のカード挿着時のカード用コネクタ装置を示す平面図である。
【図１０】本発明の同じく第２のカード挿着時のカード用コネクタ装置を示す正面図である。
【図１１】本発明の同じく第２のカード挿着時のカード用コネクタ装置を示す縦断面図である。
【図１２】本発明の同じく第２のカード挿着時のカード用コネクタ装置を示す異なる位置での縦断面図である。
【図１３】本発明の第１のカードを示す平面図である。
【図１４】本発明の同じく第１のカードを示す正面図である。
【図１５】本発明の同じく第１のカードを示す底面図である。
【図１６】本発明の第２のカードを示す平面図である。
【図１７】本発明の同じく第２のカードを示す正面図である。
【図１８】本発明の同じく第２のカードを示す底面図である。
【図１９】本発明の他の実施例であるカード用コネクタ装置を示す平面図である。
【図２０】本発明の同じくカード用コネクタ装置を示す縦断面図である。
【図２１】本発明の同じく第１のカード挿着時のカード用コネクタ装置を示す平面図である。
【図２２】本発明の同じく第１のカード挿着時のカード用コネクタ装置を示す縦断面図である。
【図２３】本発明の同じく第２のカード挿着時のカード用コネクタ装置を示す平面図である。
【図２４】本発明の同じく第２のカード挿着時のカード用コネクタ装置を示す縦断面図である。
【符号の説明】
１  ハウジング
１ａ  収納部
１ｂ  カード挿入部
１ｃ  開口部
１ｄ  平坦部
１ｅ  ガイド部
１ｆ  第１の案内面
１ｇ  第２の案内面
１ｈ  軸受け部
１ｉ  軸受け部
１ｊ  軸受け部
２  第１のコネクタ端子
２ａ  接続片
２ｂ  接触片
２ｃ  接点部
３  第２のコネクタ端子
３ａ  接続片
３ｂ  接触片
３ｃ  接点部
４  復帰ばね
５  ロックピン
６  固定接点部材
６ａ  第１の接片
６ｂ  第２の接片
６ｃ  端子片
７  第１の可動接点部材
７ａ  可動片
７ｂ  端子片
８  第２の可動接点部材
８ａ  可動片
８ｂ  端子片
９  スライド部材
９ａ  第１のカード収容部
９ｂ  第２のカード収容部
９ｃ  ばね係止部
９ｄ  ハート型カム溝
９ｅ  内面係止部
９ｆ，９ｇ  前面係止部
１０  第１係合片
１１  第２係合片
１２  回動部材
１３  ばね部材
１４  押圧部材
１４ａ  駆動部
１４ｂ  押圧部
１４ｃ  支軸部
１５  第１のカード
１５ａ  接触端子部
１５ｂ  切り欠き部
１５ｃ  凹溝部
１５ｄ  識別子
１５ｅ  凹部
１５ｆ  切り溝部
１５ｇ  接触端子部形成用凹部
１６  第２のカード
１６ａ  接触端子部
１６ｂ  切り欠き部
１６ｃ  凹部
２１  押圧部材
２１ａ  支軸部
２１ｂ  窓孔部
２１ｃ  駆動部
２１ｄ  押圧部
２２  案内部材
２２ａ  支軸部
２２ｂ  係合部
【図１】
0004351826.tif 000002
【図２】
0004351826.tif 000003
【図３】
0004351826.tif 000004
【図４】
0004351826.tif 000005
【図５】
0004351826.tif 000006
【図６】
0004351826.tif 000007
【図７】
0004351826.tif 000008
【図８】
0004351826.tif 000009
【図９】
0004351826.tif 000010
【図１０】
0004351826.tif 000011
【図１１】
0004351826.tif 000012
【図１２】
0004351826.tif 000013
【図１３】
0004351826.tif 000014
【図１４】
0004351826.tif 000015
【図１５】
0004351826.tif 000016
【図１６】
0004351826.tif 000017
【図１７】
0004351826.tif 000018
【図１８】
0004351826.tif 000019
【図１９】
0004351826.tif 000020
【図２０】
0004351826.tif 000021
【図２１】
0004351826.tif 000022
【図２２】
0004351826.tif 000023
【図２３】
0004351826.tif 000024
【図２４】
0004351826.tif 000025